(57)【要約】【課題】撮影した画像に文章を付したゲーム札を、能率的に作成するゲーム札作成方法、その方法に用いられる、パソコンおよび用紙を提供する。【解決手段】撮影装置付携帯端末２またはデジカメ３の撮影画像を、ソフトウェア上で同一形状の複数の区画５ｂに区分けされた割付シート部を有するパソコン１に入力し、文章を作成し、撮影画像が割付シートの一つの区画の四分の一以上の面積を占めるように、文章付画像を、複数、作成し、割付シートの区画に、割付基準にしたがって割り付け、割付シートと同じように区画に分けられ、境界に分離容易なように分離容易化処理を施した用紙５に、割り付け基準にしたがってプリントする。【選択図】        図１
2005043933.tif 000002
【特許請求の範囲】
【請求項１】
共通するテーマを持つ一連の複数の画像が、それぞれ１枚ずつにプリントされたゲーム札を作成する方法であって、
撮影装置付携帯端末およびデジカメのいずれかを用いて、前記複数の画像を撮影する工程と、
前記複数の撮影画像を、同一の形状の複数の区画に区分けされたシートを備える割付シート部を有するパソコンに入力する工程と、
前記撮影画像を前記パソコンのディスプレィに表示し、その画像に対応した文章を作成または編集して、文章付画像を、複数、作成する工程と、
前記複数の文章付画像を、前記割付シートの区画に、複数の割付基準のなかから選択された割付基準にしたがって割り付ける工程と、
前記割付シートと同じように区分けされ、区画の境界に分離容易なように分離容易化処理を施した用紙を前記パソコンに接続されたプリンタにセットして、前記文章付画像を前記割り付けにしたがってその用紙にプリントする工程とを備える、ゲーム札作成方法。
【請求項２】
前記撮影装置付携帯端末において、前記画像を撮影し、その撮影画像をディスプレィ上に表示して、その表示された画像に対応した文章を作成し、端末における画像添付文章を作成し、その端末における画像添付文章を前記パソコンにメール送信によって入力し、前記パソコンではその文章を校正し編集する、請求項１に記載のゲーム札作成方法。
【請求項３】
前記パソコンで、前記文章付画像に対応した文章のみからなる読み札用文章を作成し、前記割り付け工程では、前記文章付画像と、前記読み札用文章とを前記割付シートの区画に割り付ける、請求項１または２に記載のゲーム札作成方法。
【請求項４】
前記請求項１〜３のいずれかに記載のゲーム札作成方法に用いられる、前記割付シートと同じように区分けされ、区画の境界に分離容易なように分離容易化処理が施された、用紙。
【請求項５】
前記請求項１〜３のいずれかに記載のゲーム札作成方法に用いられ、前記複数の文章付画像データを同一形状の複数の区画に区分けされた割付シートの区画に割り付ける文章付画像割り付け部を有する、パソコン。
【請求項６】
前記請求項１〜３のいずれかに記載のゲーム札作成方法におけるパソコンに用いられるプログラムソフトである割付シート部を搭載した、コンパクトディスク。
【発明の詳細な説明】
【０００１】
【発明の属する技術分野】
本発明は、ゲーム札作成方法、そのゲーム札作成方法に用いられる、パソコン、コンパクトディスク、および用紙に関するものである。
【０００２】
【従来の技術】
従来、デジカメや撮影装置付携帯端末で撮影された撮影画像は、撮影画像のみ、または自動的に記入される撮影日時を付した撮影画像がプリントされるだけであった。また、デジカメや携帯端末で撮影された撮影画像にメモが付されてインターネットを介してメールが遣り取りされることがあったが、これらがプリントされることはまれであった。
【０００３】
また、上記の分野と異なる分野において、たとえば名刺を作成する場合に、デジカメ等で撮影した顔写真に名前や自己紹介の文言を付したカードをプリントする方法が知られていた。
【０００４】
【発明が解決しようとする課題】
しかしながら、たとえば家族、街なみ、自然など共通するテーマの下に撮影した複数の画像のそれぞれに文章を付けた文章付画像を、それぞれプリントしたい場合がある。これらの文章付画像は一定のサイズのカードとして得られれば、手作りのゲーム札となり、ゲーム札としての役割を終えたときはアルバムのように保存しておくことができる。従来、このような複数の撮影画像に文章を付したゲーム札を、手際よく能率的に作成する方法がなかった。
【０００５】
本発明は、上記の需要に応えるものであり、撮影した画像に文章を付したゲーム札を、手際よく能率的に作成するゲーム札作成方法、その方法に用いられる、パソコン、コンパクトディスク、および用紙を提供することを目的とする。
【０００６】
【課題を解決するための手段】
本発明のゲーム札作成方法は、共通する１つのテーマを持つ一連の複数の画像が、それぞれ１枚ずつにプリントされたゲーム札を作成する方法である。この方法は、撮影装置付携帯端末およびデジカメのいずれかを用いて、複数の画像を撮影する工程と、複数の撮影画像を同一の形状の複数の区画に区分けされたシートを備える割付シート部を有するパソコンに入力する工程と、を有する。
【０００７】
また、この方法は、撮影画像をパソコンのディスプレィに表示し、その画像に対応した文章を作成または編集して、文章付画像を、複数、作成する工程を含む。さらに、この方法は、複数の文章付画像を、割付シートの区画に、複数の割付基準のなかから選択された割付基準にしたがって割り付ける工程とを有する。そして、割付シートと同じように区分けされ、区画の境界に分離容易なように分離容易化処理を施した用紙を前記パソコンに接続されたプリンタにセットして、文章付画像を前記割り付けにしたがってその用紙にプリントする工程とを備える。
【０００８】
上記の方法によれば、実際に見て体験した体験シーンを画像として、それに自らの思いや、詩句などを付けたゲーム札を容易に能率的に作成することができる。この結果、単なるゲーム札の作成にとどまらず、自らの体験シーンを整理する体験整理方法の新しい方法を提供することができる。すなわち、撮影機能付携帯電話、デジカメ、パソコンなどが日常的な商品として用いられるようになった今日に対応して、自ら作るプロセスの比率を高めた新しいアルバムとして用いることができる。
【０００９】
上記の文章付画像では、前記撮影画像が割付シートの個々の区画の四分の一以上の面積を占めるようにすることが望ましい。視覚へより強くアピールするからである。
【００１０】
なお、共通する１つのテーマとは、複数の撮影画像を見て直ちに思い浮かべることができるそれらの画像をひとくくりにできる概念をいう。里山、湖、温泉、海岸、雲などの空間や地域に関連したもの、家族旅行、運動会、富士登山など同一機会に関連したもの、美人像、老人、赤子など人物に関連したもの、子供の成長など同じ対象の時間変化に関連したもの、猫、犬、水鳥など生き物に関連したものなど、撮影画像をひとくくりにできる概念であれば何でもよい。また、家族と一緒に見た家族が写っていない祭礼の画像と、別の機会に家族が被写体の画像とは家族という概念でひとくくりにできる。すなわち画像を撮影している状況もテーマの概念には考慮されることとする。
【００１１】
また、割付シート部はパソコンにインストールされたソフトウェアであり、文章付画像をパソコンのディスプレィ上で１画像／１区画、に割り付ける前の区画をシートに配置して、ディスプレィに表示する。
【００１２】
また、上記の「文章の編集」とは、撮影装置付携帯端末で画像を撮影した場合、撮影装置付携帯端末で文章をつけることができ、その場合、パソコンには撮影装置付携帯端末で作成された画像添付文章が入力されるので、その文章を修正したり、追加したりする編集をさす。
【００１３】
また、複数の割付基準とは、パソコンにインストールされたソフトウェアであり、撮影順序にしたがって割付シート部の区画の順序に割り付ける基準、パソコンでの編集の際に付す番号の順に割付シート部の区画の順序に割り付ける基準、あらためてマニュアル操作をおこなって配置を決める割付基準、などがある。パソコンでの編集の際に付ける順番は、撮影画像をもとにストーリィを組み立て、そのストーリィの流れに沿って行なう番号付けなどが含まれる。この結果、区画に分離しない場合は、文章付画像の配置にしたがってストーリィを追うことができる。
【００１４】
また、上記の撮影装置付携帯端末には、撮影装置の付いた携帯電話、ＰＤＡ（Ｐｅｒｓｏｎａｌ  Ｄｉｇｉｔａｌ  Ａｓｓｉｓｔａｎｔ）と総称される手帳サイズの小型パソコン、およびノートパソコンなどが含まれる。
【００１５】
上記の撮影装置付携帯端末において、画像を撮影し、その撮影画像をディスプレィ上に表示して、その表示された画像に対応した文章を作成し、端末における画像添付文章を作成し、その端末における画像添付文章をパソコンにメール送信によって入力し、パソコンではその文章を校正し編集するようにしてもよい。
【００１６】
撮影装置付携帯端末の普及は目覚しいものがあり、休日や旅行時にかぎらず、通勤時、下登校時に手軽に撮影ができる。このため、日常の些細なことに関連したテーマなどテーマを広げたゲーム札を作成することができるようになる。また、画像や文章に即興性の面白みをにじませることが可能になる。
【００１７】
なお、上記撮影装置付携帯端末からパソコンへの入力に対応するデジカメからの入力は、たとえば画像データを記憶したメモリーが収納されたメモリーカードをデジカメから取り出してパソコンに挿入する方法、またはデジカメとパソコンとを結ぶＵＳＢなどケーブル接続する方法による。
【００１８】
上記のパソコンで、文章付画像に対応した文章のみからなる読み札用文章を作成し、割り付け工程では、文章付画像と、読み札用文章とを割付シートの区画に割り付けるようにしてもよい。
【００１９】
この方法により、文章付画像の札を取り札とし、上記の読み札と合わせてかるた札を作成することができる。なお、文章付画像には読み札の最初の音（五十音）を示すひらがな一字を見やすい位置に大きく書き記すことが望ましい。その場合、文章付画像にほかに文章を付してもよいし、上記最初の音を文章とみなしてほかに文章を付けず、画像のみとしてもよい。
【００２０】
上記の割付シートと同じように区分けされ、区画の境界に分離容易なように分離容易化処理が施された、用紙を用いることにより、本発明のゲーム札作成方法を能率的で簡単な方法にすることができる。
【００２１】
上記の複数の文章付画像データを同一形状の複数の区画に区分けされた割付シートの区画に割り付ける文章付画像割り付け部を有する、パソコンを用いることにより、本発明のゲーム札作成方法を家庭でできる能率的な方法にすることができる。
【００２２】
また、上記割付シート部はコンパクトディスクに搭載されていてもよく、既存のパソコンにインストールして用いることができる。このコンパクトディスクには、割付基準など他のソフトウェアが搭載されていてもよいことはいうまでもない。
【００２３】
【発明の実施の形態】
次に図面を用いて本発明の実施の形態について説明する。
【００２４】
（実施の形態１）
図１は、本発明のゲーム札作成方法を示す図である。また、図２はパソコンの各部の間の関係を示す図である。図１および図２を参照して、携帯端末２で撮影された画像は、文章を付された形でメール送信され、パソコン１の入力部１５に入力される。また、デジカメ３と同様の方法で入力される場合もある。すなわち、ＵＳＢなどの接続されたケーブルを経由して携帯端末２またはデジカメ３から入力部１５に入力するか、または携帯端末またはデジカメに装着されて画像などのメモリが収納されたメモリーカードをパソコン１に挿入することにより入力する。
【００２５】
入力部１５に入力された画像データ、または文章付画像データはＣＰＵ（Ｃｅｎｔｒａｌ  Ｐｒｏｃｅｓｓｉｎｇ  Ｕｎｉｔ）１３を経由して記憶部１４に収納される。これらの文章付画像データは撮影順序、またはメール送信順序にしたがって連続している。
【００２６】
文章付画像を作成して編集する場合、文章付画像作成部１ａおよび割付シート部１ｃの１区画の長辺×短辺などの寸法をＣＰＵに読み出し、パソコン使用者はＣＰＵに読み出された文章付画像作成部１ａの提示する編集パターンに従って、１区画内における画像部と文章部とのレイアウトを決める。このレイアウトの修正にはマウス１６を用いてもよい。次いで、記憶部１４に記憶されている画像データなどを１区画内に配列してディスプレィ１１に表示する。そして、キーボード１２を用いて、文章部に文章を入れ、また修正を行なって編集する。仕上げ完成された１区画の文章付画像データは、再び記憶部１４に収納される。携帯端末から画像添付文章データが入力される場合は、やはり１区画に入れられるように変形した画像の縦横比や寸法で表示され、キーボード１２やマウス１６などにより文章などを校正し、編集することができる。
【００２７】
区画の形状としては、長方形、正多角形、円形、楕円形、などが可能である。各区画において画像は、図３に示すように、区画の面積の四分の一以上を占めるように配置される。もっとも一般的に考えられる区画形状である長方形の場合、望ましくは、長方形の区画の対向する２つの長辺の間を占め、その部分の長辺の間には縁の余白以外は文字など配置されないようにすることが望ましい。このようなレイアウトを形成することにより画像の印象を強くすることができる。
【００２８】
再び図１および図２を参照して、その後、外部から選択できる複数の割付基準部１ｄおよび文章付画像割付部１ｂがＣＰＵ１３に呼び出され、選択された基準にしたがって割付シート部１ｃの各区画に文章付画像を割り付ける。この場合、区画配列のみが重要である。区画配列は番号付けがなされており、文章付画像割付部１ｂは、上記の区画配置番号に上記の文章付撮影画像番号を対応づける。そして、文章付画像割付部１ｂは、割付シート部１ｃの１枚のシート（ページ）ごとに割り付けられたサムネイルを表示することができる。
【００２９】
割付基準１ｄには、上述したように、撮影順序Ａ１，Ａ２，．．，Ａｎ，．．．にしたがって割付シート部の区画の順序に割り付ける基準、パソコンでの編集の際に外部からの選択により付す番号Ｂ１，Ｂ２，．．．Ｂｎ，．．．の順に，割付シート部の区画の順序に割り付ける基準、などがある。パソコンでの編集の際に選択によって行なう番号付けは、撮影画像をもとにストーリィを組み立て、そのストーリィの流れに沿って行なう番号付けなどが含まれる。この結果、ゲーム札として区画に分離しない場合は、文章付画像の配置にしたがってストーリィを追うことができる。また、実施の形態２で示すようにかるた札の場合には、読み札と取り札とを揃えて割り付けるので、撮影順序にしたがいながら、上記読み札と取り札とを揃えるかるた配列基準を設けることもできる。
【００３０】
割付シート部１ｃに割り付けられた文章付画像は、プリンタ４に送られ、プリンタにセットされた用紙５にプリントアウトされる。用紙は、割付シートと同じように区分けされ、区画の境界に分離容易なように分離容易化処理が施されている。分離容易化処理には、ミシン目を入れる処理や、切れ目を浅く入れておく処理などがある。使用者が、素手で区画境界線から逸れることなく容易に分離できればどのような処理でもよい。なお、境界または境界線は区画間の境界、縁の余白との境界などをさす。
【００３１】
図４は、上記の方法で作成した文章付画像を示す図面である。用紙はＡ４版である。区画５ｂごとに異なる画像と文章が配置され、一枚の用紙に８枚（２×４）の文章付画像が割り付けられている。これを上記境界線５ａに沿って分離すればゲーム札を得ることができる。Ａ４版の用紙サイズで区画形状が長方形の場合、図４に示すように２×４または２×５の区画配列を用いる場合が多い。
【００３２】
これらゲーム札を用いて次のようなゲームを行なうことができる。
【００３３】
（１）街なみ七並べ
ふる里の街並みを撮影して、ゲーム札として、七並べ的なルールでゲームを行なう。パン屋、コンビニ、ラーメン屋といった住んでいる街の街並みがテーブルや床に再現されてゆくゲーム。
【００３４】
（２）家族旅行すごろく
旅先で撮ったスナップ写真をゲーム札として、これを時間に沿ってテーブルに並べてすごろくゲームとする。「お父さんが寝坊した、お父さんは１回休み」などという注釈（文章）が各ゲーム札に書いてある。図４がそのプリントされた状態の例を示す図面である。これより各区画５ｂを切り離し、テーブル、床等に旅行の地図上の位置関係を模すなどして配置し、すごろくゲームに供する。
【００３５】
（３）ふる里缶蹴り
商店街、原っぱの物置、木の茂みなどを撮影してゲーム札として缶蹴りゲームのルールでゲームする。
【００３６】
（４）家族かるた
文章付画像のゲーム札として、読み札を別に作成して、かるたゲームをする。家族の歳時記をかるたの形で永久的に保存することができる。家族かるたについては次の実施の形態２で説明する。
【００３７】
（実施の形態２）
図５は、本発明の実施の形態２のカード札作成方法で作成したカード札を示す図である。図５（ａ）は文章付画像のゲーム札であり取り札を示す図であり、一方、図５（ｂ）は、区画内に文章のみを配置した読み札を示す図である。図４に示す文章付画像と異なる点は、本実施の形態では文章付画像の区画とともに文章のみの区画が割り付けられることである。通常、取り札と読み札は、２×４または２×５の長方形の区画配列の、２つの部分を並んで占めるように割り付けることが多い。
【００３８】
かるたの場合、読み札の最初のひらがなが取り札に大きく目立つように配置される。図５（ａ）の場合、取り札に「わ」が目立つように大きく表示されている。図５（ａ）では、上記の「わ」のほかに文章が付されているが、上記の「わ」を文章として、そのほかに文章を付けなくてもよい。そのような取り札は、画像の印象を強調し、違った雰囲気を醸し出すことができる。
【００３９】
以上、説明したように、本発明のゲーム札作成方法を用いることにより、文章付画像を手軽に能率的に作成することができるようになる。また、単にゲーム札として用いるだけでなくストーリィ性のある写真集を得ることができるので、質的に高いデータ整理方法として多様な使い方に用いることができる。
【００４０】
上記において、本発明の実施の形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【００４１】
【発明の効果】
本発明のゲーム札作成方法を用いることにより、文章付画像のゲーム札を手軽に能率的に作成することができるようになる。また、単にゲーム札として用いるだけでなくストーリィ性のある写真集などを得ることができるので、質的に高い日常のデータ整理方法として多様な使い方に用いることができる。
【図面の簡単な説明】
【図１】本発明の実施の形態１におけるゲーム札作成方法を示す図である。
【図２】パソコン内の各部の関係を示す図である。
【図３】用紙の区画内のレイアウトを示す図である。
【図４】用紙に割り付けられプリントアウトされた文章付画像を示す図である。
【図５】本発明の実施の形態２におけるゲーム札作成方法を示す図であり、（ａ）は文章付画像がプリントされた取り札であり、（ｂ）は文章のみがプリントされた読み札である。
【符号の説明】
１  パソコン、１ａ  文章付画像作成部、１ｂ  文章付画像割付部、１ｃ  割付シート部、１ｄ  割付基準部、２  携帯端末、３  デジカメ、４  プリンタ、５  用紙、５ａ  境界線、５ｂ  区画、１１  ディスプレィ、１２  キーボード、１３  ＣＰＵ、１４  記憶部、１５  入力部、１６  マウス。
【図１】
2005043933.tif 000003
【図２】
2005043933.tif 000004
【図３】
2005043933.tif 000005
【図４】
2005043933.tif 000006
【図５】
2005043933.tif 000007